(57)【要約】【課題】ミラーによって投写光を拡大投写する投写型表示装置において、机上設置で使用されるような場合に、投写型表示装置の転倒を抑止することができるようにする。【解決手段】キャビネット３００を設置面に対し直立状態に保持するスタンド４００を有する。スタンド３００は、キャビネット３００に装着可能となっており、本体側キャビネット３００ａが装着される第１の台座部４０２と立壁部４２２を備える。第１の台座部４０２は、装着状態において本体側キャビネット３００ａの側面よりも側方に張り出して本体側キャビネット３００ａの傾きを抑制する。【選択図】図１９
2008250283.tif 000002
【特許請求の範囲】
【請求項１】
本体キャビネットと、
光変調素子によって変調された光が入射される投写レンズ部と、
前記投写レンズ部を透過した光を反射して被投写面へと向かわせるミラー部と、
前記投写レンズ部を透過した光が設置面から離れるように前記本体キャビネットが前記設置面上に設置されるときに、本体キャビネットを前記設置面に対し直立状態に保持する保持部材とを有する、
ことを特徴とする投写型表示装置。
【請求項２】
請求項１に記載の投写型表示装置において、
前記保持部材は、前記本体キャビネットに装着可能となっており、
前記本体キャビネットが装着される装着部と、
この装着部に装着された前記本体キャビネットの側面よりも側方に張り出して前記本体キャビネットの傾きを抑制する張出部とを有する、
ことを特徴とする投写型表示装置。
【請求項３】
請求項２に記載の投写型表示装置において、
前記ミラー部は、前記投写レンズ部の光軸から当該光軸に直交する方向にシフトして配置され、
前記装着部には、前記本体キャビネットが載置される載置面と、前記本体キャビネットが前記載置面に載置されたときに前記ミラー部がシフトした側の前記本体キャビネットの側面を支える立壁部とが形成されている、
ことを特徴とする投写型表示装置。
【請求項４】
請求項２または請求項３に記載の投写型表示装置において、
前記本体キャビネットは、ネジ止めにより装着部に装着され、
前記本体キャビネットに形成されるネジ孔は、前記本体キャビネットを他の設置形態で設置する際のネジ孔として共用される、
ことを特徴とする投写型表示装置。
【請求項５】
本体キャビネットと、光変調素子によって変調された光が入射される投写レンズ部と、前記投写レンズ部を透過した光を反射して被投写面へと向かわせるミラー部とを有する投写型表示装置に用いられるスタンドであって、
前記本体キャビネットが装着される装着部と、この装着部に装着された前記本体キャビネットの側面よりも側方に張り出して前記本体キャビネットの傾きを抑制する張出部とを備え、
前記投写レンズ部を透過した光が設置面から離れるように前記本体キャビネットが前記設置面上に設置されるときに前記本体キャビネットの前記載置面に対向する部位に装着されて、前記本体キャビネットを前記設置面に対し直立状態に保持する、ことを特徴とする投写型表示装置用のスタンド。
【請求項６】
請求項５に記載の投写型表示装置用のスタンドにおいて、
前記ミラー部は、前記投写レンズ部の光軸から当該光軸に直交する方向にシフトして配置されており、
前記装着部には、前記本体キャビネットが載置される載置面と、前記本体キャビネットが前記載置面に載置されたときに前記ミラー部がシフトした側の前記本体キャビネットの側面を支える立壁部と、が形成されている、
ことを特徴とする投写型表示装置用のスタンド。
【請求項７】
請求項５または請求項６に記載の投写型表示装置用のスタンドにおいて、
前記装着部はネジ止めによって前記本体キャビネットに固定装着され、
前記装着部に形成されたネジ止めのための孔は、前記本体キャビネットを他の設置形態で設置するために前記本体キャビネットに形成されたネジ孔の位置と整合する位置に形成されている、
ことを特徴とする投写型表示装置用のスタンド。
【発明の詳細な説明】
【技術分野】
【０００１】
本発明は、光変調素子によって変調された光を被投写面上に拡大投写する投写型表示装置および該投写型表示装置用のスタンドに関する。
【背景技術】
【０００２】
液晶パネルなどの表示素子（光変調素子）上の画像を被投写面（スクリーン等）上に拡大投写する投写型表示装置（以下、「プロジェクタ」という）が商品化され広く普及している。この種のプロジェクタでは、スクリーンとプロジェクタ本体の距離を短くするために、投写光学系の広角化とともに、投写光の進行方向を投写光学系の光軸に対して傾斜させる、斜め投写の構成をとるプロジェクタが提案されている。
【０００３】
例えば、以下の特許文献１に記載の発明では、投写光学系として大画角の広角レンズが用いられ、表示素子とスクリーンを投写光学系の光軸に対して互いに相反する方向にシフトさせることにより、投写距離が短縮されると共に、歪曲のない斜め投写が実現されている。しかし、この先行発明では、大画角の広角レンズが必要なため、レンズの大型化に伴うコストの上昇とプロジェクタ本体の大型化が問題となる。
【０００４】
これに対し、以下の特許文献２に記載の発明では、投写光学系として投写レンズユニットとミラーが用いられ、表示素子上の画像を投写レンズユニットとミラーの間に中間像として結像させ、この中間像をミラーによって拡大投写することにより、投写距離の短縮が実現されている。この先行発明によれば、比較的小さな曲面のミラーによって広角化が実現されるため、コストの上昇とプロジェクタ本体の大型化を抑制することができる。
この種のプロジェクタでは、図２６に示すように種々の使用形態が想定される。しかし、机上設置にてプロジェクタを使用する場合、キャビネット内において、重量の大きいミラーが上方に位置することになるので、プロジェクタの重心位置が高くなる。このため、机上設置にて使用する場合には、不所望な力の印加によってプロジェクタが転倒する惧れがある。特に、プロジェクタを、ミラーが、投写レンズユニットの光軸に対して投写方向と反対方向にシフトした位置に配置されるような構成とした場合には、プロジェクタの重心位置がキャビネットにおけるミラーがシフトした側の側面に寄るため、それとは反対側の側面を押す力を受けた場合に転倒が生じ易くなる。
【特許文献１】特開平０５−１００３１２号公報
【特許文献２】特開２００４−２５８６２０号公報
【発明の開示】
【発明が解決しようとする課題】
【０００５】
本発明は、上記課題を解消するためになされたものであり、ミラーによって投写光を拡大投写する投写型表示装置において、机上設置で使用されるような場合に、投写型表示装置の転倒を抑止することができるようにすることを目的とする。
【課題を解決するための手段】
【０００６】
上記課題に鑑み本発明は、以下の特徴を有する。
【０００７】
請求項１に係る発明は、本体キャビネットと、光変調素子によって変調された光が入射される投写レンズ部と、前記投写レンズ部を透過した光を反射して被投写面へと向かわせるミラー部と、前記投写レンズ部を透過した光が設置面から離れるように前記本体キャビネットが前記設置面上に設置されるときに、本体キャビネットを前記設置面に対し直立状態に保持する保持部材とを有することを特徴とする。
【０００８】
請求項２に係る発明は、請求項１に記載の投写型表示装置において、前記保持部材は、前記本体キャビネットに装着可能となっており、前記本体キャビネットが装着される装着部と、この装着部に装着された前記本体キャビネットの側面よりも側方に張り出して前記本体キャビネットの傾きを抑制する張出部とを有することを特徴とする。
【０００９】
請求項３に係る発明は、請求項２に記載の投写型表示装置において、前記ミラー部は、前記投写レンズ部の光軸から当該光軸に直交する方向にシフトして配置され、前記装着部には、前記本体キャビネットが載置される載置面と、前記本体キャビネットが前記載置面に載置されたときに前記ミラー部がシフトした側の前記本体キャビネットの側面を支える立壁部とが形成されていることを特徴とする。
【００１０】
請求項４に係る発明は、請求項２または請求項３に記載の投写型表示装置において、前記本体キャビネットは、ネジ止めにより装着部に装着され、前記本体キャビネットに形成されるネジ孔は、前記本体キャビネットを他の設置形態で設置する際のネジ孔として共用されることを特徴とする。
【００１１】
請求項５に係る発明は、本体キャビネットと、光変調素子によって変調された光が入射される投写レンズ部と、前記投写レンズ部を透過した光を反射して被投写面へと向かわせるミラー部とを有する投写型表示装置に用いられるスタンドであって、前記本体キャビネットが装着される装着部と、この装着部に装着された前記本体キャビネットの側面よりも側方に張り出して前記本体キャビネットの傾きを抑制する張出部とを備え、前記投写レンズ部を透過した光が設置面から離れるように前記本体キャビネットが前記設置面上に設置されるときに前記本体キャビネットの前記載置面に対向する部位に装着されて、前記本体キャビネットを前記設置面に対し直立状態に保持することを特徴とする。
【００１２】
請求項６に係る発明は、請求項５に記載の投写型表示装置用のスタンドにおいて、前記ミラー部は、前記投写レンズ部の光軸から当該光軸に直交する方向にシフトして配置されており、前記装着部には、前記本体キャビネットが載置される載置面と、前記本体キャビネットが前記載置面に載置されたときに前記ミラー部がシフトした側の前記本体キャビネットの側面を支える立壁部と、が形成されていることを特徴とする。
【００１３】
請求項７に係る発明は、請求項５または請求項６に記載の投写型表示装置用のスタンドにおいて、前記装着部はネジ止めによって前記本体キャビネットに固定装着され、前記装着部に形成されたネジ止めのための孔は、前記本体キャビネットを他の設置形態で設置するために前記本体キャビネットに形成されたネジ孔の位置と整合する位置に形成されていることを特徴とする。
【発明の効果】
【００１４】
本発明によれば、保持部材（スタンド）によって、本体キャビネットを設置面に対し直立状態に保持することができるので、机上設置で使用されるような場合に、投写型表示装置の転倒を抑止することができる。
【００１５】
さらに、請求項３および請求項６の発明によれば、保持部材（スタンド）に、ミラー部がシフトした側の本体キャビネットの側面を支える立壁部が設けられているので、本体キャビネットが倒れやすい側を強固に支えることができ、より一層転倒を抑止できる。
【００１６】
さらに、請求項４および請求項７の発明によれば、本体キャビネットに形成されるネジ孔が、本体キャビネットを他の設置形態で設置する際のネジ孔として共用されるので、本体キャビネットのスペースを有効利用することができる。
【００１７】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００１８】
以下、図面を参照して、実施の形態に係るプロジェクタの構成を説明する。
【００１９】
図１ないし図７は、外部キャビネットを省略した状態のプロジェクタを示す図である。図１は、プロジェクタの外観斜視図、図２、図３、図４、図５、図６および図７は、それぞれ、プロジェクタの上面図、底面図、右側面図、左側面図、正面図および背面図である。なお、図２ないし図７には、メイン基板４０が取り外された状態のプロジェクタが示されている。また、図８および図９には、それぞれ、投写光学系の概観斜視図および断面図（模式図）が示されている。
【００２０】
図１ないし図７を参照して、プロジェクタは、光学エンジン１０と、投写光学系２０と、電源ユニット３０と、メイン基板４０と、ＡＶ端子部５０と、吸気ファン６０と、排気ファン７０と、ＡＣインレット９０を備えている。なお、８０ａは上面側キャビネットからのボス、８０ｂは底面側キャビネットからのボス、８０ｃは振動吸収用のブッシュである。
【００２１】
投写光学系２０は、図８に示す板状部２０５ａ、２０２ａが、図１、図２、図３に示すように、ブッシュ８０ｃを介してボス８０ａ、８０ｂ間に挟持されることによりキャビネット内に装着される。投写光学系２０は、振動吸収用のブッシュ８０ｃを介して挟持されているため、投写光学系２０に衝撃が伝わり難くなっている。また、投写光学系２０は、振動吸収用のブッシュ８０ｃを介して上面側キャビネットからのボス８０ａおよび底面側キャビネットからのボス８０ｂにより支持されているため、支持強度が向上している。
【００２２】
光学エンジン１０は、光源１０１からの白色光を青色波長帯、緑色波長帯および赤色波長帯の光に分離するとともに各波長帯の光を表示素子（液晶パネル）で変調し、さらに、変調後の各波長帯の光をダイクロイックプリズムで色合成し、合成後の光を投写光学系２０に出射する。図２に示すように、光源１０１は、Ｘ軸方向に光を照射するよう配置され、投写光学系２０は光軸がＹ軸方向となるよう配置されている。なお、光学エンジン１０の構成および光学エンジン１０と投写光学系２０の位置関係については、追って、図１０を参照して説明する。
【００２３】
電源ユニット３０は、光源１０１およびメイン回路４０に電源を供給する。電源ユニット３０には、ＡＣインレット９０を介してＡＣ電圧が入力される。メイン回路４０は、プロジェクタを駆動および制御するための回路である。図１に示す如く、メイン回路４０を保持する回路基板は、光学エンジン１０の上面に、光学エンジン１０の一部を覆うようにして配置されている。また、メイン回路４０には、ＡＶ端子部５０を介してＡＶ（Audio Visual）信号が入力される。
【００２４】
図１および図３に示す如く、光学エンジン１０の底面側には３つの吸気ファン６０が配されている。これら吸気ファン６０によって吸気されたエアーは、光学エンジン１０の左側面側に配された排気ファン７０（図５参照）および背面側に配された排気ファン７０（図７参照）によって排気される。このように吸気ファン６０と排気ファン７０を配置することにより、吸気ファン６０によって吸気されたエアーは、光学エンジン１０の光学系、光源１０１および電源ユニット３０を通過するよう流れる。また、吸気されたエアーは、図２、図３および図６に示す如く、ダクト６１を介して光源１０１の側面に導かれ、光源１０１の側面から排気ファン７０に向かって流れる。かかるエアーの流れによって、これら部材に発生する熱が取り除かれる。
【００２５】
図８および図９に、投写光学系の概観斜視図および断面図を示す。なお、図９は、図８のＡ−Ａ’断面を模式的に示す図である。
【００２６】
同図において、２０１は投写レンズユニット、２０２はハウジング、２０３は埃防止カバー、２０４は反射ミラー、２０５はミラーカバー、２０６は光線通過窓である。
【００２７】
投写レンズユニット２０１は、投写光を中間結像面上に結像させるためのレンズ群と、これらレンズ群の一部を光軸方向に変位させて投写画像のフォーカス状態を調整するためのアクチュエータを備えている。ここで、投写レンズユニット２０１のフォーカス調整は、レバー２０１ａを投写レンズユニット２０１の光軸を軸として回転させることにより行われる。なお、このレバー２０１ａは、光線通過窓２０６から投写される投写光を遮らないよう、図８に示す如く、投写レンズユニット２０１の側方から突出するよう配置されている。
【００２８】
反射ミラー２０４は、非球面形状の反射面を有し、投写レンズユニット２０１から入射された投写光を広角化して、光線通過窓２０６から被投写面（スクリーン面）へ投写する。
【００２９】
投写レンズユニット２０１は、ハウジング２０２内に収容され、さらに、埃防止カバー２０３によって覆われる。また、反射ミラー２０４は、ハウジング２０２に取り付けられているとともに、ミラーカバー２０５によって覆われている。
【００３０】
図９に示す如く、光学エンジン１０によって生成された合成光は、投写レンズユニット２０１の光軸からＺ軸方向に離間する位置において、投写レンズユニット２０１に入射される。このようにして入射された合成光は、投写レンズユニット２０１によってレンズ作用を受け、ミラー２０４に入射される。しかる後、合成光は、反射ミラー２０４によって広角化され、光線通過窓２０６を介して、被投写面（スクリーン面）へ投写される。
【００３１】
なお、上記の如く、光学エンジン１０からの合成光は、投写レンズユニット２０１の光軸よりもＺ軸方向にずれた位置において、投写レンズユニット２０１に入射されるため、反射ミラー２０４は、図９に示す如く、投写レンズユニット２０１の光軸から合成光のシフト方向と反対側にシフトするようにして配置される。ここで、反射ミラー２０４は、投写レンズユニット２０１を構成する各レンズのレンズ面よりも大きな反射面を有するため、投写レンズユニット２０１の光軸に対する反射ミラー２０４のシフト量は比較的大きなものとなる。このため、プロジェクタの底面側には、図４および図５に示す如く、比較的大きな空間Ｇが生じる。
【００３２】
次に、図１０を参照して、光学エンジン１０の主要構成について説明する。
【００３３】
光源１０１は、バーナとリフレクタから構成され、略平行な光を照明光学系１０２に出射する。光源１０１は、たとえば、超高圧水銀ランプから構成される。照明光学系１０２は、フライアイインテグレータ、ＰＢＳ（偏光ビームスプリッタ）アレイおよびコンデンサレンズを備え、表示素子（液晶パネル）１０６、１０９、１１５に入射する際の各色光の光量分布を均一化させるとともに、ダイクロイックミラー１０３に向かう光の偏光方向を一方向に揃える。なお、光源１０１は、バーナとリフレクタとからなるランプを１つだけ備える単灯式としてもよいし、ランプを複数備える多灯式としてもよい。
【００３４】
ダイクロイックミラー１０３は、照明光学系１０２から入射された光のうち、青色波長帯の光（以下、「Ｂ光」という）のみを反射し、赤色波長帯（以下、「Ｒ光」という）と緑色波長帯（以下、「Ｇ光」という）を透過する。ミラー１０４は、ダイクロイックミラー１０３によって反射されたＢ光をコンデンサレンズ１０５に向かう方向に反射する。
【００３５】
コンデンサレンズ１０５は、Ｂ光が平行光で表示素子１０６に入射するよう、Ｂ光にレンズ作用を付与する。表示素子１０６は、青色用の映像信号に応じて駆動され、その駆動状態に応じてＢ光を変調する。なお、表示素子１０６の入射側と出射側には偏光板（図示せず）が配されている。
【００３６】
ダイクロイックミラー１０７は、ダイクロイックミラー１０３を透過したＲ光およびＧ光のうち、Ｇ光のみを反射する。コンデンサレンズ１０８は、Ｇ光が平行光で表示素子１０９に入射するよう、Ｇ光にレンズ作用を付与する。表示素子１０９は、緑色用の映像信号に応じて駆動され、その駆動状態に応じてＧ光を変調する。なお、表示素子１０９の入射側と出射側には偏光板（図示せず）が配されている。
【００３７】
リレーレンズ１１０、１１２は、表示素子１１５に対するＲ光の入射状態が表示素子１０６および１０９に対するＢ光およびＧ光の入射状態と等しくなるようＲ光にレンズ作用を付与する。ミラー１１１、１１３は、ダイクロイックミラー１０７を透過したＲ光を表示素子１１５に導くよう、Ｒ光の光路を変更する。
【００３８】
コンデンサレンズ１１４は、Ｒ光が平行光の状態で表示素子１１５に入射するよう、Ｒ光にレンズ作用を付与する。表示素子１１５は、赤色用の映像信号に応じて駆動され、その駆動状態に応じてＲ光を変調する。なお、表示素子１１５の入射側と出射側には偏光板（図示せず）が配されている。
【００３９】
ダイクロイックプリズム１１６は、表示素子１０６、１０９、１１５によって変調されたＢ光、Ｇ光およびＲ光のうち、Ｂ光とＲ光を反射するとともにＧ光を透過し、これにより、Ｂ光、Ｇ光およびＲ光を色合成する。色合成された光（合成光）は、上記の如く、投写光学系２０内の投写レンズユニット２０１に入射される。そして、反射ミラー２０４によって広角化され、光線通過窓２０６を介して、被投写面（スクリーン面）へ投写される。
【００４０】
図示の如く、光源１０１は、光の照射方向がＸ軸方向に向くように配置される。このように光源１０１を配置することにより、後述の如く、光源１０１は、プロジェクタが天吊設置、据え置き設置および机上設置の何れの形態で使用されても、常に、水平方向に光を照射するに位置づけられることとなる。
【００４１】
図１１は、図１に示すプロジェクタの内部構造をキャビネット内に収容した場合のプロジェクタの外観を示す斜視図である。図１２、図１３は、それぞれ、プロジェクタの右側面図、正面図である。
【００４２】
上記のように、本実施の形態のプロジェクタでは、反射ミラー２０４が、合成光のシフト方向と反対側に投写レンズユニット２０１の光軸からシフトして配置されるため、図１２に示すように、キャビネット３００のハウジング２０２およびミラーカバー２０５の部分がＺ軸方向にＤ１だけ突出した形状となっている。また、光源１０１の光軸が投写レンズユニット２０１の光軸に直交するようにして光源１０１が配置されるため、図１３に示すように、本体部分（本体側キャビネット３００ａ）から光源１０１の部分（突出側キャビネット３００ｂ）がＸ軸方向にＤ３だけ突出した形状となっている。
【００４３】
ＡＶ端子部５０の各端子、およびＡＣインレット９０は、キャビネット３００の右側面に配されている。すなわち、本体側キャビネット３００ａの正面には、端子やＡＣインレットが配されておらず、本体側キャビネット３００ａの正面は、平坦な面となっている。このため、後述のように、本体側キャビネット３００ａの正面をスタンド４００に固定し、机上設置を行うことが可能となる。
【００４４】
図１４は、本実施の形態に係るプロジェクタの使用形態を示す図である。図示の如く、本実施の形態によれば、プロジェクタを天吊設置および据え置き設置する場合の他、机上設置する場合にも、光源１０１が水平方向を向くよう位置づけられる。つまり、本実施の形態では、光源１０１からの光が図２のＸ軸方向に向くように光源１０１を光学エンジン１０内に配置することにより、天吊設置、据え置き設置および机上設置の何れの使用形態においても常に、光源１０１が水平方向を向くよう位置づけられる。このため、本実施の形態によれば、光源１０１が鉛直方向に配置されることによる光源１０１の寿命低下を抑制することができる。
【００４５】
また、本実施の形態によれば、図２および図１０に示す如く、光源１０１の光軸が投写レンズユニット２０１の光軸に直交するよう光源１０１が配置されるため、投写レンズユニット２０１の光軸方向における光学エンジン１０の寸法を抑制することができる。よって、本実施の形態によれば、図１４における投写距離Ｈを小さくすることができ、その結果、光線通過窓２０６から出射された光がスクリーンに到達する前に障害物によって遮られる可能性を低減することができる。
【００４６】
図１５、図１６、および図１７は、それぞれ、本実施の形態に係るプロジェクタを机上設置した状態を示す図である。図１５はプロジェクタの右側面側から見た図、図１６はプロジェクタの左側面側から見た図、図１７はプロジェクタの底面側から見た図である。また、図１８は、図１７のＡ−Ａ’断面図である。さらに、図１９はプロジェクタとスタンドとの分解斜視図、図２０はスタンドの裏面を模式的に示す図である。
【００４７】
本実施の形態では、反射ミラー２０４の重量が大きいため、机上設置にてプロジェクタを使用する場合には、プロジェクタの重心位置が高くなる。このため、机上設置にて使用する場合には、不所望な力の印加によってプロジェクタが転倒する惧れがある。特に、図１２に示すように、キャビネット３００の上面と底面との間の幅（Ｚ軸方向の幅）Ｄ２が比較的小さいため、Ｚ軸方向における転倒が問題となる。また、反射ミラー２０４が、投写レンズユニット２０１の光軸に対して投写方向と反対方向にシフトした位置に配置されており、プロジェクタの重心位置がキャビネット３００の底面側に寄っているため、キャビネット３００の上面（光線通過窓２０６側の側面）を押す力を受けた場合に転倒が生じ易い。
【００４８】
そこで、本実施の形態では、キャビネット３００に着脱可能なスタンド４００を備え、机上設置の際には、スタンド４００の上にキャビネット３００を取り付けるようにし、プロジェクタの転倒が抑止されるようにしている。なお、本実施の形態では、突出側キャビネット３００ｂの部分は、本体側キャビネット３００ａの部分に比べ、高さも低く重量も軽いため、プロジェクタの転倒には寄与しにくい。よって、スタンド４００は、後述するように、本体側キャビネット３００ａに対してＺ軸方向の転倒を抑止できる構造となっている。
【００４９】
図１９に示すように、スタンド４００（本発明の保持部材に相当）は、第１の基盤部４１０（本発明の張出部に相当）と、第１の台座部４２０（本発明の装着部に相当）と、第２の基盤部４３０と、第２の台座部４４０とからなる。第１の基盤部４１０、第１の台座部４２０、第２の基盤部４３０、および第２の台座部４４０は、合成樹脂によって一体的に形成されている。
【００５０】
第１の基盤部４１０は、ほぼ四角形の板状に形成されている。第１の基盤部４１０の上面には、必要に応じて、スタンド４００を設置面（机上）にネジ止めできるように、２つの貫通孔４１１が形成されている。
【００５１】
第１の台座部４２０は、第１の基盤部４１０の上面の中央部分に形成されている。第１の台座部４２０は、本体側キャビネット３００ａの正面が載せられる載置面４２１と、この載置面４２１に載せられた本体側キャビネット３００ａの底面を支えるための立壁部４２２とを有する。載置面４２１には、本体側キャビネット３００ａの正面にネジ止めするための１つの貫通孔４２３が形成されており、立壁部４２２には、本体側キャビネット３００ａの底面にネジ止めするための２つの貫通孔４２４が形成されている。
【００５２】
第２の基盤部４３０は、ほぼ長方形の板状に形成されている。第２の基盤部４３０は、第１の台座部４２０に本体側キャビネット３００ａを載せたときに突出側キャビネット３００ｂの真下位置に配されるよう、第１の基盤部４１０からＸ軸方向に連続的に形成されている。第２の台座部４４０は、第２の基盤部４３０の上面であって、第１の台座部４２０からＸ軸方向に連続的に形成されている。
【００５３】
第２の台座部４４０は、突出側キャビネット３００ｂを載せるための載置面４４１を有している。突出側キャビネット３００ｂの正面が本体側キャビネット３００ａの正面よりも少し高くなっているため、それに合わせて、第２の台座部４４０の載置面４４１は、第１の台座部４２０の載置面４２１より少し高くなっている。
【００５４】
スタンド４００の裏面には、図２０に示すように、第１の基盤部４１０および第２の基盤部４３０の各コーナ部分、計６箇所にゴムパット４５０ａが配されており、第１の基盤部４１０の中央部分にゴムパッド４５０ｂが配されている。これらゴムパッド４５０ａ、４５０ｂによって、スタンド４００と設置面との間の滑り止めが図られるとともに、設置面の傷つきが防止される。
【００５５】
キャビネット３００の底面にはネジ孔３０１ａ〜３０１ｈが形成されている。これらネジ孔３０１ａ〜３０１ｈのうち２つのネジ孔３０１ａ、３０１ｂが、キャビネット３００をスタンド４００へ固定するために用いられる。また、キャビネット３００の正面にも、図１３に示すように、キャビネット３００をスタンド４００へ固定するためのネジ孔３０２が設けられている。
【００５６】
キャビネット３００（プロジェクタ本体）をスタンド４００に取り付けるときには
本体側キャビネット３００ａの正面および突出側キャビネット３００ｂの正面が、それぞれ第１の台座部４２０および第２の台座部４４０に載るように、キャビネット３００をスタンド４００の上に置く。これにより、キャビネット３００底面のネジ孔３０１ａ、３０１ｂが立壁部４２２の貫通孔４２４と整合し、正面のネジ孔３０２が載置面４２１の貫通孔４２３に整合する。よって、この状態で、ネジ４６０をネジ孔３０１ａ、３０１ｂに螺着し、ネジ４６１をネジ孔３０２に螺着することにより、キャビネット３００がスタンド４００に固定される。
【００５７】
なお、図１８に示すように、ネジ孔３０１ａは、ボス孔３０３に金属製のナット３０４を嵌め込んだインサートナットにより構成されている。他のネジ孔３０１ｂ〜３０１ｈ、３０２についても、同様に、インサートナットにより構成されている。
【００５８】
図１７に示すように、第１の基盤部４１０は、Ｘ軸方向の幅Ｗ１が、本体側キャビネット３００ａのＸ軸方向の幅Ｄ４とほぼ等しくされている。一方、図１５に示すように、第１の基盤部４１０のＺ軸方向の幅Ｗ２は、本体側キャビネット３００ａのＺ軸方向の幅Ｄ２に比べ、十分に大きくされている。即ち、本実施の形態では、第１の基盤部４１０が、本体側キャビネット３００ａの上面よりも十分にＺ軸方向に張り出し、且つ、キャビネット３００の底面よりも十分にＺ軸方向に張り出している。したがって、キャビネット３００の上面側への転倒および底面側への転倒の両方が抑止される。
【００５９】
また、図１５に示す、スタンド４００によるキャビネット３００の載置高さＬは、光線通過窓２０６から設置面（机上）に投写した画面のサイズが、例えば７０インチなど、区切りのよいサイズとなるように設定されている。このように、スタンド４００側にて画面サイズの調整機能が発揮されるため、机上設置時における画面サイズの調整のためにキャビネット３００の大きさや形状が制約を受けることがなく、キャビネット設計の負担増加を防止できる。
【００６０】
また、本実施の形態では、上述したように、プロジェクタの重心がキャビネット３００の底面側に寄っているため、プロジェクタはキャビネット３００の底面側に転倒しやすい。そこで、本実施の形態では、第１の台座部４２０に立壁部４２２が設けられている。
【００６１】
この立壁部４２２のＸ軸方向の幅Ｗ３は、図１７に示すように、本体側キャビネット３００ａのＸ軸方向の幅Ｄ４よりも若干小さいものであり、この立壁部４２２によって、本体側キャビネット３００ａの底面がＸ軸方向に全体的に支えられる。さらに、本実施の形態では、本体側キャビネット３００ａの正面と載置面４２１との間でＹ軸方向にネジ止めされているのに加え、本体側キャビネット３００ａの底面と立壁部４２２との間でＺ軸方向にもネジ止めされている。このように、本実施の形態では、キャビネット３００の底面側への転倒に対する支えが強固なものにされているので、プロジェクタを安定して支えることができ、より一層の転倒抑止を図ることができる。
【００６２】
さらに、本実施の形態では、上述したように、突出側キャビネット３００ｂの部分がプロジェクタの転倒にそれほど寄与しないため、第２の基盤部４３０および第２の台座部４４０によって、突出側キャビネット３００ｂをＺ軸方向に支えずともよく、これらはその正面を受けることができればよい。よって、本実施の形態では、図１６および図１７に示すように、第２の台座部４３０および第２の基盤部４４０は、突出側キャビネット３００ｂ正面の面内に納まる大きさに形成されている。このため、プロジェクタにスタンド４００を装着し載置面に設置した状態では、第２の基盤部４３０および第２の台座部４４０が突出側キャビネット３００ｂに隠れて見えにくくなる。したがって、できるだけスタンド４００を目立たなくできるので、プロジェクタの見栄えが良くなる。
【００６３】
さらに、本実施の形態では、スタンド４００を取り付けるためのネジ孔３０１ａ、３０１ｂが、プロジェクタを据え置き設置するためのネジ孔や天吊設置するためのネジ孔に共用されているため、キャビネット３００底面のスペースを有効利用することができる。
【００６４】
図２１は、本実施の形態に係るプロジェクタを据え置き設置した状態を示す図である。図２２はプロジェクタとアーム部材との分解斜視図である。
【００６５】
プロジェクタを、据え置き設置にて使用する場合には、ミラーカバー２０５の部分の突出しにより生じた段差（図１２に示す突出量Ｄ１）を補正するため、アーム部材５００がキャビネット３００の底面に装着される。このアーム部材５００が取り付けられるときは、スタンド４００は取り外される。
【００６６】
アーム部材５００には、先端部がアーム部材５００を貫通するようにして、２つの調整ネジ６００が装着されている。また、アーム部材５００には、アーム部材５００をキャビネットの底面にネジ止めするための４つの孔５０１が形成されている。
【００６７】
アーム部材５００は、キャビネット３００の底面に形成された上記ネジ孔３０１ａ〜３０１ｈのうち４つのネジ孔３０１ａ、３０１ｃ〜３０１ｅに、４つの孔５０１を整合させ、この状態で、ネジ５０２をネジ孔３０１ａ、３０１ｃ〜３０１ｅに螺着することによって取り付けられる。このとき、スタンド４００を取り付けるための１つのネジ孔３０１ａがアーム部材５００を取り付けるために共用されることになる。
【００６８】
調整ネジ６００は、ネジ部材６０１に調整ダイヤル６０２が取り付けられることにより構成されている。調整ダイヤル６０２を回すと、アーム部材５００の底面からのネジ部材６０１の突出量が変化する。こうして、プロジェクタが据え置き設置された状態において、２つの調整ネジ６００を適宜回動させることにより、プロジェクタの傾きを調整することができる。
【００６９】
なお、プロジェクタを、図１４（ａ）に示す天吊設置にて使用する場合には、スタンド４００やアーム部材５００が取り外された状態で、５つのネジ孔３０１ａ、３０１ｂ、３０１ｆ〜３０１ｈを用いて、キャビネット３００が天吊設置用の保持機構にネジ止めされる。このとき、スタンド４００を取り付けるための２つのネジ孔３０１ａ、３０１ｂが保持機構に取り付けるために共用されることになる。
【００７０】
このように、本実施の形態では、スタンド４００を取り付けるためのネジ孔３０１ａ、３０１ｂが、アーム部材５００を取り付けるためのネジ孔や天吊設置の際のネジ孔に共用されているため、キャビネット３００底面のスペースを有効利用することができる。
【００７１】
以上、本発明の実施の形態について説明したが、本発明は、上記実施の形態によって制限されるものではない。また、本発明の実施形態は上記の他、種々の変更が可能である。
【００７２】
例えば、プロジェクタの転倒を防止する手段を、別部材ではなく、プロジェクタ本体と一体的に設けてもよい。以下、他の構成例について説明する。
【００７３】
図２３は、光線通過窓２０６側の側面が押圧された場合に転倒を抑止するための構成例である。ここでは、光線通過窓２０６に対して反対側の側面から転倒防止用のスタンド８１が突出する構成となっている。
【００７４】
スタンド８１は、棒状部材によって構成され、その端部が、本体キャビネット側面に形成された孔８２から外部に露出している。スタンド８１は、ワンプッシュすると端部が外部に露出し、その後、所定の位置まで引き出し可能とする機構によって、本体キャビネット内に支持されている。スタンド８１を使用する際には、端部をワンプッシュしてスタンド８１を本体キャビネットから突出させる。その後、スタンド８１を、予め設定された使用位置まで本体キャビネットから引き出す。
【００７５】
図２４（ａ）は、スタンド８１の使用形態を示す図である。この場合、同図の矢印方向に力が加わっても、スタンド８１がストッパとなって、プロジェクタの転倒が抑止される。
【００７６】
なお、スタンド８１の長さを調整できるようにすれば、転倒防止の他、プロジェクタの傾き調整を行うこともできる。本実施の形態のように反射ミラー２０４によって光を拡大投写する構成では、投写画像の画角調整とフォーカス調整に厳格さが要求される。つまり、図２３（ａ）のＺ軸方向における傾きを少し変更するだけで、スクリーン上における投写領域が大きくシフトし、また、投写画像のフォーカス状態も大きく変化する。よって、スタンド８１の長さを微調整することにより、Ｚ軸方向におけるプロジェクタの傾き状態を微調整できれば、転倒防止の他、投写画像の画角調整とフォーカス調整をもスタンド８１の機能によって実現できる。
【００７７】
図２４（ｂ）は、長さ調整可能なスタンド８１の構成例である。この構成例では、筒体８１ａの中にシャフト８１ｂが摺動可能な状態で挿入されている。シャフト８１ｂと調節ツマミ８１ｃは連結機構によって連結されており、調節ツマミ８１ｃを筒体８１ａの円周方向に回転させると、シャフト８１ｂが筒体８１ａに沿って長手方向に変位する。したがって、適宜、調節ツマミ８１ｃを回転させることにより、スタンド８１の長さを変化させることができる。なお、シャフト８１ｂの先端にはゴムパッド８１ｄが装着されている。
【００７８】
図２４（ｃ）は、同図（ｂ）のスタンド８１をプロジェクタに配した場合の使用例である。調節ツマミ８１ｃを矢印Ｐ方向に回転させると、シャフト８１ｂが矢印Ｑ方向に変位する。ここで、シャフト８１ｂは机面に対して傾いているため、シャフト８１が矢印Ｑ方向に変位すると、それに応じて、本体キャビネットが矢印Ｒ方向に傾く。これにより、図２３（ａ）のＺ軸方向におけるプロジェクタの傾きが調整される。
【００７９】
なお、上記実施の形態では、Ｚ軸方向におけるプロジェクタの厚みが小さいため、上記の如く本体キャビネット内にスタンド８１を収容する場合には、スタンド８１の長さを大きくできない。
【００８０】
図２５は、スタンド８１の長さを大きくする場合の構成例である。ここで、スタンド８１は、Ｈ形状とされ、本体キャビネットに形成されたＨ形状の溝に収納される。スタンド８１は、支軸８４によって回動可能に軸支されており、収納時には、前面がストッパ８５ａに当接している。スライド８５ｂをガイド８５ｃに沿って矢印Ｓ方向に変位させることにより、スタンド８１に対するストッパ８５ａの当接状態を解除できる。この状態においてスタンド８１を所定の位置まで回動させ、その後、スライド８５ｂを図１８に示すロック状態に復帰させる。これにより、ストッパ８５ａがスタンド８１を同図の下向き方向に押さえるような状態で当接し、スタンド８１が使用位置にロックされる。
【００８１】
この構成例においても、スタンド８１を、図２４（ｂ）に示す長さ調整可能なスタンドとしても良い。また、図２５に示すスタンド８１とともに、光線通過窓２０６側の側面にもスタンドを配置し、プロジェクタが光線通過窓２０６側に転倒するのをさらに防止するようにしても良い。この場合、光線通過窓２０６側の側面に配するスタンドは、図２３に示すワンプッシュ式のスタンドとしても良い。また、光線通過窓２０６側の側面に配するスタンドの方を長さ調整可能なスタンドとして、プロジェクタの傾きを調整するようにしも良い。
【図面の簡単な説明】
【００８２】
【図１】実施の形態に係るプロジェクタの構成を示す図（斜視図）
【図２】実施の形態に係るプロジェクタの構成を示す図（上面図）
【図３】実施の形態に係るプロジェクタの構成を示す図（底面図）
【図４】実施の形態に係るプロジェクタの構成を示す図（右側面図）
【図５】実施の形態に係るプロジェクタの構成を示す図（左側面図）
【図６】実施の形態に係るプロジェクタの構成を示す図（正面図）
【図７】実施の形態に係るプロジェクタの構成を示す図（背面図）
【図８】実施の形態に係る投写光学系の構成を示す図（斜視図）
【図９】実施の形態に係る投写光学系の構成を示す図（断面図）
【図１０】実施の形態に係る光学エンジンの構成を示す図
【図１１】実施の形態に係るプロジェクタの外観構成を示す斜視図
【図１２】実施の形態に係るプロジェクタの外観構成を示す右側面図
【図１３】実施の形態に係るプロジェクタの外観構成を示す正面図
【図１４】実施の形態に係るプロジェクタの使用形態を示す図
【図１５】実施の形態に係るスタンド付きプロジェクタの外観を示す右側面図
【図１６】実施の形態に係るスタンド付きプロジェクタの外観を示す左側面図
【図１７】実施の形態に係るスタンド付きプロジェクタの外観を示す底面図
【図１８】実施の形態に係るプロジェクタとスタンドの接合部位を示す断面図
【図１９】実施の形態に係るプロジェクタとスタンドの関係を示す斜視図
【図２０】実施の形態に係るスタンドの裏面を模式的に示す斜視図
【図２１】実施の形態に係るアーム部材付きプロジェクタの外観を示す右側面図
【図２２】実施の形態に係るプロジェクタとアーム部材の関係を示す斜視図
【図２３】実施の形態に係るスタンドの他の構成例を示す図
【図２４】実施の形態に係るスタンドのさらに他の構成例を示す図
【図２５】実施の形態に係るスタンドのさらに他の構成例を示す図
【図２６】ミラーにて拡大投写するタイプのプロジェクタの使用形態を示す図
【符号の説明】
【００８３】
８１  …  スタンド
２０１  …  投写レンズユニット
２０４  …  反射ミラー
３００  …  キャビネット
３００ａ  …  本体側キャビネット
３００ｂ  …  突出側キャビネット
３０２  …  ネジ孔
３０１ａ、３０１ｂ  …  ネジ孔
４００  …  スタンド
４１０  …  第１の基盤部
４２０  …  第１の台座部
４２１  …  載置面
４２２  …  立壁部
４２３、４２４  …  貫通孔
４３０  …  第２の基盤部
４４０  …  第２の台座部
【図１】
2008250283.tif 000003
【図２】
2008250283.tif 000004
【図３】
2008250283.tif 000005
【図４】
2008250283.tif 000006
【図５】
2008250283.tif 000007
【図６】
2008250283.tif 000008
【図７】
2008250283.tif 000009
【図８】
2008250283.tif 000010
【図９】
2008250283.tif 000011
【図１０】
2008250283.tif 000012
【図１１】
2008250283.tif 000013
【図１２】
2008250283.tif 000014
【図１３】
2008250283.tif 000015
【図１４】
2008250283.tif 000016
【図１５】
2008250283.tif 000017
【図１６】
2008250283.tif 000018
【図１７】
2008250283.tif 000019
【図１８】
2008250283.tif 000020
【図１９】
2008250283.tif 000021
【図２０】
2008250283.tif 000022
【図２１】
2008250283.tif 000023
【図２２】
2008250283.tif 000024
【図２３】
2008250283.tif 000025
【図２４】
2008250283.tif 000026
【図２５】
2008250283.tif 000027
【図２６】
2008250283.tif 000028